(57)【特許請求の範囲】
【請求項１】
カメラ部と、
前記カメラ部で撮影した画像を表示する表示部と、
前記表示部に重ねて配置されたタッチパネルと、を備え、
前記タッチパネルに所定の操作がなされた場合、
前記表示部の輝度を、第１の輝度から、前記第１の輝度より明るい第２の輝度へ変化させ、
明るくなった旨を前記表示部が表示する撮影装置であって、
前記明るくなった旨の表示は、少なくとも前記第２の輝度に変化した後も継続する撮影装置。
【請求項２】
請求項１に記載の撮影装置であって、
前記所定の操作は、フリック操作である撮影装置。
【請求項３】
請求項２に記載の撮影装置であって、
前記表示部は長方形であり、
前記フリック操作は、前記長方形の短手方向に沿ったフリック操作である撮影装置。
【請求項４】
請求項２に記載の撮影装置であって、
鉛直方向を検出するセンサを備え、
前記フリック操作は、前記鉛直方向に沿って、下から上へのフリック操作である撮影装置。
【請求項５】
請求項３又は請求項４に記載の撮影装置であって、
前記フリック操作を第１のフリック操作とし、
前記第１のフリック操作と反対方向の第２のフリック操作をした場合、
前記表示部の輝度を、前記第２の輝度から前記第１の輝度へ変化させる撮影装置。
【請求項６】
請求項１から請求項５のいずれか１項に記載の撮影装置であって、
前記明るくなった旨の表示は、アイコンで表示される撮影装置。
【請求項７】
請求項１から請求項６のいずれか１項に記載の撮影装置であって、
前記明るくなった旨の表示は、所定時間表示される撮影装置。
【請求項８】
請求項１から請求項７のいずれか１項に記載の撮影装置であって、
前記表示部に表示する画像は動画である撮影装置。
【請求項９】
請求項１から請求項８のいずれか１項に記載の撮影装置であって、
前記表示部は、バックライトを供えた液晶表示器であり、
前記表示部の輝度は、前記バックライトの輝度を変化させることで、変化させる撮影装置。
【請求項１０】
請求項１から請求項８のいずれか１項に記載の撮影装置であって、
前記表示部は、それぞれの画素が自発光する表示器であり、
前記表示部の輝度は、前記自発光の輝度を変化させることで、変化させる撮影装置。
【請求項１１】
請求項１から請求項１０のいずれか１項に記載の撮影装置であって、
第１面と、前記第１面と反対の第２面を備える筐体を有し、
前記カメラ部は、前記第１面に配置され、
前記表示部と前記タッチパネルは、前記第２面に配置される撮影装置。
【請求項１２】
請求項１から請求項１０のいずれか１項に記載の撮影装置であって、
第１面と、前記第１面と反対の第２面を備える筐体を有し、
前記カメラ部は、前記第１面に配置され、
前記表示部と前記タッチパネルは、前記第１面に配置される撮影装置。
【請求項１３】
カメラ部と、
前記カメラ部で撮影した画像を表示する表示部と、
前記表示部に重ねて配置されたタッチパネルと、を備える撮影装置において利用可能な撮影方法であって、
前記タッチパネルに所定の操作がなされた場合、
前記表示部の輝度を、第１の輝度から、前記第１の輝度より明るい第２の輝度へ変化させるステップと、
明るくなった旨を前記表示部が表示するステップと、を有し、
前記明るくなった旨の表示は、少なくとも前記第２の輝度に変化した後も継続する撮影方法。
【請求項１４】
カメラ部と、
前記カメラ部で撮影した画像を表示する表示部と、
前記表示部に重ねて配置されたタッチパネルと、を備える撮影装置において利用可能な撮影プログラムであって、
前記タッチパネルに所定の操作がなされた場合、
前記表示部の輝度を、第１の輝度から、前記第１の輝度より明るい第２の輝度へ変化させるステップと、
明るくなった旨を前記表示部が表示するステップと、を有し、
前記明るくなった旨の表示は、少なくとも前記第２の輝度に変化した後も継続する撮影プログラム。
【請求項１５】
請求項１４に記載の撮影プログラムがダウンロード可能に保存されたサーバ。
【請求項１６】
画像を表示する表示部と、
前記表示部に重ねて配置されたタッチパネルと、を備え、
前記タッチパネルに所定の操作がなされた場合、
前記表示部の輝度を、第１の輝度から、前記第１の輝度より明るい第２の輝度へ変化させ、
明るくなった旨を前記表示部が表示する表示装置であって、
前記明るくなった旨の表示は、少なくとも前記第２の輝度に変化した後も継続する表示装置。
【請求項１７】
カメラ部と、
前記カメラ部で撮影した画像を表示する表示部と、
前記表示部に重ねて配置されたタッチパネルと、を備え、
前記タッチパネルに所定の操作がなされた場合、
前記表示部のガンマ特性を、第１のガンマ特性から、第２のガンマ特性へ変化させ、
前記表示部のガンマ特性を変化させた旨を前記表示部が表示する撮影装置であって、
前記ガンマ特性を変化させた旨の表示は、少なくとも前記第２のガンマ特性に変化した後も継続する撮影装置。
【発明の詳細な説明】
【技術分野】
【０００１】
本発明は、カメラ部で撮影した画像を表示する表示部にタッチパネルが重ねて配置された撮影装置及び該撮影装置における撮影方法に関する。
【背景技術】
【０００２】
近年、スマートフォンなどのような、略全面が表示部（液晶表示器等）とタッチパネルで構成され、タッチパネルで操作を行う携帯端末が増えてきており、ハードキーで操作するものは少なくなっている。
携帯端末は、電池持ちの観点から照度センサなどの情報により環境光に応じたバックライト制御を行うことで表示部の明るさと電池持ちを両立させている。また、液晶表示器等の表示デバイス寿命の観点で限界までの輝度は出さないようにしている。【０００３】
表示部にタッチパネルが重ねて配置され、該タッチパネルにて操作を行えるようにした従来の装置として、例えば特許文献１，２に記載されたものがある。特許文献１に記載された情報処理装置は、表示部の表示画面に対するタッチ位置が移動したときの１本の軌跡に基づいて、画像を拡大又は縮小するときの中心点及び倍率を設定するようにして、１本の指で軌跡を描くだけの簡単なタッチ操作で、画像の拡大及び縮小を行うことを可能にしている。特許文献２に記載された撮影装置は、ＣＣＤ（Charge Coupled Device）からの画像信号に基づく画像を表示するバックライト付きの液晶モニタと、指が触れたことを検出するタッチセンサを備えたレリーズボタンと、そのタッチセンサによりレリーズボタンに指が触れたか否かに応じて、バックライトを点灯あるいは消灯する点灯制御手段とを備えている。【０００４】
また、特許文献３に記載された携帯端末では、複数のキーを含む操作領域を表示するＬＣＤモニタの上面に設けられたタッチパネルに対し、操作領域内でスライド操作を行うと、そのスライド操作がＣＰＵによって特定操作であるか判定され、スライド操作であると判定されると、タッチパネルのタッチ反応領域に不感領域が設定される。【０００５】
なお、前述したスマートフォンの殆どはインターネットへの接続を可能とする通信機能を有しており、３ＧＰＰ（3rd Generation Partnership Project）等が提供する様々なプログラムを入手することができる。これにより、最初からインストールされているアプリケーション（専用のプロラムであり、以下、“アプリ”と呼ぶ）以外に、様々なアプリをダウンロードすることで、最初からインストールされているアプリ（“プリインアプリ”と呼ぶ）とは違った機能を楽しむこともできる。プリインアプリとして、例えばカメラアプリがあり、このカメラアプリと機能の異なるカメラのアプリをダウンロードすることで、プリインのカメラアプリとは違った機能を楽しむことができる。
【先行技術文献】
【特許文献】
【０００６】
【特許文献１】日本国特開２０１０−２７１７７４号公報
【特許文献２】日本国特開２００８−２２７９２５号公報
【特許文献３】日本国特開２０１０−００９３３５号公報
【発明の概要】
【発明が解決しようとする課題】
【０００７】
ところで、上述したスマートフォン等の携帯端末をカメラとして使用するとき、晴天下の野外などの周囲が明るい環境では外光により表示部の画面が見え難く、構図を決めることが困難であるという課題がある。なお、この課題を回避するために、カメラとして使用するときは一時的に輝度を上げられるように、機能メニューなどを設けることで、ユーザに選択させる仕組みはあったが、そもそも表示部の画面が見えない状況では設定することができない。また、この課題は、カメラとして使用できる携帯端末のみならず、専用のカメラ（所謂デジタルカメラ）でも起こり得る。【０００８】
また、スマートフォンのように大型の表示部を有する携帯端末では、筐体の大きさを変えないように表示部の大型化を図ることから狭額縁化が進んでいる。しかしながら、狭額縁化が進むことで筐体の端を触っただけでも動作をしてしまうことがある。即ち、意図しない操作による処理が実行されてしまうことがある。例えば、タッチによるカメラのＡＦ（Auto Focus）動作や撮影をする仕組みを有する場合、カメラ撮影を行う前に、筐体の端を触っただけで意図しない撮影が行われてしまうことがある。【０００９】
なお、上述したカメラのアプリのように、プリインアプリと機能の異なるアプリをダウンロードした場合、ユーザは、プリインアプリとダウンロードしたアプリをホーム画面上のアイコン選択で切替える必要があり、これらのアプリを使い分けるのに操作が煩雑で使い難いという課題がある。例えば、撮影したいシーンをプリインのカメラアプリとダウンロードしたカメラアプリの両方で撮影したい場合、プログラムの起動、終了を２度行う必要がある。即ち、プリインのカメラアプリ→ダウンロードしたカメラアプリの順で切替えるものとすると、プリインのカメラアプリの起動、終了→ダウンロードしたカメラアプリの起動、終了の順で切替えを行う必要がある。【００１０】
この課題について図面を用いて詳細に説明する。図３２は、通信機能を持ち、インターネット等のネットワークを介してプログラムをダウンロード可能な携帯端末の一例を示す概観図である。同図に示すように、当該端末５００のホーム画面には、複数のアイコン５１０が表示されている。ここで、“番号１”で示すアイコン５１０にはアプリ（１）が設定され、“番号２０”で示すアイコン５１０にはアプリ（２０）が設定されているものとする。また、アプリ（２０）はダウンロードされたものとする。アプリ（１）を使用する場合、“番号１”で示すアイコン５１０にタッチする。これにより、アプリ（１）が起動し、該アプリ（１）の使用が可能となる。その後、アプリ（２０）を使用する場合、アプリ（１）を一端終了させてホーム画面に戻した後、“番号２０”で示すアイコン５１０にタッチする。これにより、アプリ（２０）が起動し、アプリ（２０）の使用が可能となる。図３３はその手順を示すフローチャートである。【００１１】
本発明は、係る事情に鑑みてなされたものであり、晴天下の野外などの周囲が明るい環境で撮影を行う場合でも表示部の画面を容易に確認することができる撮影装置及び撮影方法を提供することを目的とする。【００１２】
また、本発明は、表示部の大型化に伴う筐体の狭額縁化が進んでも、筐体の端を触れることで起こる誤動作を防止することができる撮影装置を提供することを他の目的とする。【００１３】
また、本発明は、簡単な操作でプログラムの切替えができる撮影装置を提供することを更に他の目的とする。
【課題を解決するための手段】
【００１４】
本発明の撮影装置は、カメラ部と、前記カメラ部で撮影した画像を表示する表示部と、前記表示部に重ねて配置されたタッチパネルと、を備え、前記タッチパネルに所定の操作がなされた場合、前記表示部の輝度を、第１の輝度から、前記第１の輝度より明るい第２の輝度へ変化させ、明るくなった旨を前記表示部が表示する撮影装置であって、前記明るくなった旨の表示は、少なくとも前記第２の輝度に変化した後も継続する。【００１５】
上記構成によれば、タッチパネルに所定の操作がなされると、表示部の輝度が、第１の輝度から該第１の輝度より明るい第２の輝度に変化し、かつ、明るくなった旨が表示部に表示され、明るくなった旨の表示は、少なくとも第２の輝度に変化した後も継続するので、晴天下の野外などの周囲が明るい環境で撮影を行う場合に、表示部の画面を容易にかつ確実に確認することができるとともに、明るくなった後に、明るくなった旨の表示を基に、輝度が変化したことを確実に認識することができる。【００１６】
上記構成において、前記所定の操作は、フリック操作である。【００１７】
上記構成によれば、画面に指を当てて少しだけスライドさせるという簡単な操作（フリック操作）で、簡単に表示部の輝度を変化させることができる。【００１８】
上記構成において、前記表示部は長方形であり、前記フリック操作は、前記長方形の短手方向に沿ったフリック操作である。【００１９】
上記構成によれば、簡単に表示部の輝度を変化させることができる。【００２０】
上記構成において、鉛直方向を検出するセンサを備え、前記フリック操作は、前記鉛直方向に沿って、下から上へのフリック操作である。【００２１】
上記構成によれば、表示部の輝度を上げる場合、下から上へのフリック操作となるので、直感的な操作が可能となる。【００２２】
上記構成において、前記フリック操作を第１のフリック操作とし、前記第１のフリック操作と反対方向の第２のフリック操作をした場合、前記表示部の輝度を、前記第２の輝度から前記第１の輝度へ変化させる。【００２３】
上記構成によれば、表示部の輝度を下げる場合、上から下へのフリック操作となるので、直感的な操作が可能となる。【００２４】
上記構成において、前記明るくなった旨の表示は、アイコンで表示される。【００２５】
上記構成によれば、第２の輝度に変化したことを容易に認識することができる。【００２６】
上記構成において、前記明るくなった旨の表示は、所定時間表示される。【００２７】
上記構成によれば、第２の輝度に変化したことを見逃すことがなくなり、表示部が明るくなったことを確実に認識することができる。【００２８】
上記構成において、前記表示部に表示する画像は動画である。【００２９】
上記構成によれば、被写体を撮影する前（即ちシャッタを押す前）の動画撮影時に表示部の輝度を変化させることができる。【００３０】
上記構成において、前記表示部は、バックライトを供えた液晶表示器であり、前記表示部の輝度は、前記バックライトの輝度を変化させることで、変化させる。【００３１】
上記構成によれば、バックライトの輝度を変化させることで、表示部を明るくすることができる。【００３２】
上記構成において、前記表示部は、それぞれの画素が自発光する表示器であり、前記表示部の輝度は、前記自発光の輝度を変化させることで、変化させる。【００３３】
上記構成によれば、ＥＬ（Electro Luminescence）表示器のような画素が自発光する表示器を用いて、この表示器の自発光の輝度を変化させることで、表示部を明るくすることができる。また、この表示器を用いることで、バックライトを必要とする液晶表示器と比べて省電力化が可能となる。【００３４】
上記構成において、第１面と、前記第１面と反対の第２面を備える筐体を有し、前記カメラ部は、前記第１面に配置され、前記表示部と前記タッチパネルは、前記第２面に配置される。【００３５】
上記構成において、第１面と、前記第１面と反対の第２面を備える筐体を有し、前記カメラ部は、前記第１面に配置され、前記表示部と前記タッチパネルは、前記第１面に配置される。【００３６】
本発明の撮影方法は、カメラ部と、前記カメラ部で撮影した画像を表示する表示部と、前記表示部に重ねて配置されたタッチパネルと、を備える撮影装置において利用可能な撮影方法であって、前記タッチパネルに所定の操作がなされた場合、前記表示部の輝度を、第１の輝度から、前記第１の輝度より明るい第２の輝度へ変化させるステップと、明るくなった旨を前記表示部が表示するステップと、を有し、前記明るくなった旨の表示は、少なくとも前記第２の輝度に変化した後も継続する。【００３７】
上記方法によれば、タッチパネルに所定の操作がなされると、表示部の輝度が、第１の輝度から該第１の輝度より明るい第２の輝度に変化し、かつ、明るくなった旨が表示部に表示され、明るくなった旨の表示は、少なくとも第２の輝度に変化した後も継続するので、晴天下の野外などの周囲が明るい環境で撮影を行う場合でも表示部の画面を容易にかつ確実に確認することができる。【００３８】
本発明の撮影プログラムは、カメラ部と、前記カメラ部で撮影した画像を表示する表示部と、前記表示部に重ねて配置されたタッチパネルと、を備える撮影装置において利用可能な撮影プログラムであって、前記タッチパネルに所定の操作がなされた場合、前記表示部の輝度を、第１の輝度から、前記第１の輝度より明るい第２の輝度へ変化させるステップと、明るくなった旨を前記表示部が表示するステップと、を有し、前記明るくなった旨の表示は、少なくとも前記第２の輝度に変化した後も継続する。【００３９】
上記撮影プログラムによれば、タッチパネルに所定の操作がなされると、表示部の輝度を、第１の輝度から、該第１の輝度より明るい第２の輝度に変化させ、かつ、明るくなった旨を表示部に表示し、明るくなった旨の表示は、少なくとも第２の輝度に変化した後も継続させるので、晴天下の野外などの周囲が明るい環境で撮影を行う場合でも表示部の画面を容易にかつ確実に確認することができる。【００４０】
本発明のサーバは、上記撮影プログラムがダウンロード可能に保存された。
【００４１】
上記構成によれば、ダウンロードという形で撮影プログラムの入手が可能となり、利便性向上が図れる。【００４２】
本発明の表示装置は、画像を表示する表示部と、前記表示部に重ねて配置されたタッチパネルと、を備え、前記タッチパネルに所定の操作がなされた場合、前記表示部の輝度を、第１の輝度から、前記第１の輝度より明るい第２の輝度へ変化させ、明るくなった旨を前記表示部が表示する表示装置であって、前記明るくなった旨の表示は、少なくとも前記第２の輝度に変化した後も継続する。【００４３】
上記構成によれば、タッチパネルに所定の操作がなされると、表示部の輝度を、第１の輝度から、該第１の輝度より明るい第２の輝度に変化させ、かつ、明るくなった旨を表示部に表示し、明るくなった旨の表示は、少なくとも第２の輝度に変化した後も継続させるので、晴天下の野外などの周囲が明るい環境で撮影を行う場合でも表示部の画面を容易にかつ確実に確認することができる。【００４４】
本発明の撮影装置は、カメラ部と、前記カメラ部で撮影した画像を表示する表示部と、前記表示部に重ねて配置されたタッチパネルと、を備え、前記タッチパネルに所定の操作がなされた場合、前記表示部のガンマ特性を、第１のガンマ特性から、第２のガンマ特性へ変化させ、前記表示部のガンマ特性を変化させた旨を前記表示部が表示する撮影装置であって、前記ガンマ特性を変化させた旨の表示は、少なくとも前記第２のガンマ特性に変化した後も継続する。【００４５】
上記構成によれば、タッチパネルに所定の操作がなされると、表示部のガンマ特性が、第１のガンマ特性（暗い環境下で認識性の高いガンマ特性）から、第２のガンマ特性（明るい環境下で認識性の高いガンマ特性）に変化し、かつ、表示部のガンマ特性が変化した旨が表示部に表示され、ガンマ特性が変化した旨の表示は、少なくとも第２のガンマ特性に変化した後も継続するので、晴天下の野外などの周囲が明るい環境で撮影を行う場合に、表示部の画面を容易にかつ確実に確認することができるとともに、明るい環境下で認識性の高いガンマ特性になった後に、ガンマ特性が変化した旨の表示を基に、ガンマ特性が変化したことを確実に認識することができる。【００４６】
本発明の撮影装置は、カメラ部と、前記カメラ部で撮影した画像を表示する表示部と、前記表示部に重ねて配置されたタッチパネルと、を備え、前記タッチパネルに所定の操作がなされた場合、前記カメラ部における撮影条件を、第１の撮影条件から、前記第１の撮影条件とは異なる第２の撮影条件へ変化させる。【００４７】
上記構成によれば、タッチパネルに所定の操作がなされると、カメラ部における撮影条件が、第１の撮影条件から該第１の撮影条件とは異なる第２の撮影条件に変化するので、所定の操作によってカメラ部における撮影条件を素早く切り替えることができ、シャッターチャンスを逃す機会が大幅に減少するなど、操作性向上が図れる。【００４８】
上記構成において、前記第１の撮影条件で撮影された第１の画像及び前記第２の撮影条件で撮影された第２の画像に対して合成又はアニメーションの少なくとも一方の処理を施す合成部を備え、前記合成又はアニメーションの少なくとも一方の処理が施された前記第１の画像及び前記第２の画像を前記表示部に表示する。【００４９】
上記構成によれば、撮影された画像に対して合成又はアニメーションの少なくとも一方の処理が施されるので、撮影条件の変化を直感的に認識でき、操作性の向上が図れる。また、アニメーションさせることによってアミューズメント効果も得られる。【００５０】
本発明の撮影装置は、カメラ部と、前記カメラ部での撮影時に発光可能なフラッシュライト部と、前記カメラ部で撮影した画像を表示する表示部と、前記表示部に重ねて配置されたタッチパネルと、を備え、前記タッチパネルに所定の操作がなされた場合、前記フラッシュライト部の設定を変化させる。【００５１】
上記構成によれば、タッチパネルに所定の操作がなされると、フラッシュライト部の設定が変化するので、所定の操作によってフラッシュライト部の設定をハードキーの操作やメニューを開くことなく即時に変更でき、シャッターチャンスを逃す機会が大幅に減少するなど、操作性向上が図れる。【００５２】
上記構成において、前記フラッシュライト部の設定は、自動発光／強制発光／発光禁止もしくは常時点灯の少なくとも１つを含む。【００５３】
上記構成によれば、フラッシュライト部の設定を強制発光（フラッシュＯＮ），発光禁止（フラッシュＯＦＦ）とした場合、簡単に発光禁止にでき、撮影時に発光させて迷惑をかけることがない。【００５４】
本発明の撮影装置は、カメラ部と、前記カメラ部で撮影した画像を表示する表示部と、前記表示部に重ねて配置されたタッチパネルと、を備え、前記タッチパネル上の設定操作により、前記タッチパネルに対する所定の操作と実行される機能を対応づけて記憶する記憶部を設けた。【００５５】
上記構成によれば、タッチパネルに対する所定の操作と実行される機能とが対応づけて記憶されるので、所定の操作によって実現される機能を自由にカスタマイズすることができ、操作性の向上が図れる。【００５６】
上記構成において、前記タッチパネル上で前記所定の操作とは異なる第二の所定の操作がなされた場合、前記記憶部に対応づけて記憶されている、前記タッチパネルに対する前記所定の操作と実行される機能を読み出して、前記表示部に一覧表示する。【００５７】
上記構成によれば、タッチパネル上で第二の所定の操作がなされると、タッチパネルに対する所定の操作と実行される機能が表示部に一覧表示されるので、機能の設定状態を容易に把握することができ、操作性の向上が図れる。【００５８】
上記構成において、前記第二の所定の操作は、少なくとも長押し操作を含む。【００５９】
上記構成において、前記第２の撮影条件は、複数の撮影条件を連続的に変化させることが可能である。【００６０】
上記構成において、前記所定の操作は、フリック操作またはスライド操作またはドラッグ操作の少なくとも一つを含む。【００６１】
本発明の撮影装置は、カメラ部と、表示部と、前記表示部に重ねて配置されたタッチパネルと、を備え、少なくとも、前記表示部が前記カメラ部で撮影した画像を表示する第１のモードと、所定の画像を表示する第２のモードを有し、前記第１のモードにおいて前記タッチパネルは、前記表示部の周辺部において所定の幅で不感領域を備え、前記第２のモードにおいて前記タッチパネルは、前記不感領域を備えない。【００６２】
上記構成によれば、カメラ部で撮影した画像を表示する第１のモードにおいて、タッチパネルは、表示部の周辺部において所定の幅で不感領域を備えるので、カメラ撮影時に筐体の端に触れても不感領域内であれば誤動作が起こらない。即ち、筐体の端を触れることで起こる誤動作を防止することができる。【００６３】
本発明の撮影装置は、カメラ部と、表示部と、前記表示部に重ねて配置されたタッチパネルと、を備え、少なくとも、前記表示部が前記カメラ部で撮影した画像を表示する第１のモードと、所定の画像を表示する第２のモードを有し、前記第１のモードにおいて前記タッチパネルは、前記表示部の周辺部において第１の幅で不感領域を備え、前記第２のモードにおいて前記タッチパネルは、前記表示部の周辺部において前記第１の幅より狭い第２の幅の不感領域を備える。【００６４】
上記構成によれば、カメラ部で撮影した画像を表示する第１のモードにおいて、タッチパネルは、表示部の周辺部において第１の幅で不感領域を備え、第２のモードにおいて、タッチパネルは、表示部の周辺部において第１の幅より狭い第２の幅の不感領域を備えるので、カメラ撮影時に筐体の端に触れても第１の幅の不感領域内であれば誤動作が起こることがなく、また、カメラ撮影時以外の時にタッチパネルの端の部分に触れても第２の幅の不感領域内であれば誤動作が起こることがない。即ち、筐体の端を触れることで起こる誤動作を防止することができる。【００６５】
上記構成において、前記表示部は長方形であり、前記不感領域は、前記長方形の少なくとも一辺に沿って配置された。【００６６】
上記構成において、前記第１のモードの前記表示部において、前記長方形の第１の辺から所定の距離の範囲にアイコンが表示され、前記不感領域は、前記第１の辺に沿って配置されるとともに、前記アイコンが表示される領域の少なくとも一部を含まない。【００６７】
上記構成において、前記第１のモードの前記表示部において、前記長方形の第１の辺から所定の距離の範囲にアイコンが表示され、前記不感領域は、少なくとも、前記第１の辺に沿って配置された第１の不感領域と、前記第１の辺の隣の第２の辺に沿って配置された第２の不感領域と、を有し、前記第１の不感領域の幅は、前記第２の不感領域の幅より広い。【００６８】
上記構成において、前記不感領域は、前記長方形の少なくとも向かい合う二辺に沿って配置された。【００６９】
上記構成において、前記不感領域は、前記長方形の四辺に沿って配置された。【００７０】
上記構成において、前記長方形の短辺の不感領域の幅は、前記長方形の長辺の不感領域の幅より広い。【００７１】
上記構成において、前記第１のモードにおいて、前記表示部は、前記カメラ部で撮影した画像を略全面に表示する。【００７２】
上記構成において、前記第１のモードにおいて、前記表示部が表示する前記カメラ部で撮影した画像の面積は、前記表示部の全面積に対して８０％以上である。【００７３】
上記構成において、少なくとも第１の面と第２の面で覆われた筐体を有し、前記表示部と前記タッチパネルは前記第１の面に配置され、前記第１の面と前記第２の面の角と、前記表示部との間に縁部を備える。【００７４】
上記構成において、前記縁部の幅は、０ｍｍより大きく、３．５ｍｍより小さい。【００７５】
上記構成において、前記タッチパネルは、前記表示部の略全面において重ねて配置された。【００７６】
上記構成において、前記表示部において前記タッチパネルが重ねて配置される面積は、前記表示部の面積の９０％以上１００％以下である。【００７７】
上記構成において、前記タッチパネルにおいて前記表示部が重ねて配置される面積は、前記タッチパネルの面積の９０％以上１００％以下である。【００７８】
上記構成において、前記タッチパネルの前記不感領域以外の領域において、以下の（１）から（５）の中の少なくとも１つの機能の入力を受ける。
（１）オートフォーカスの対象物選択
（２）シャッター
（３）電子ズームの対象物選択
（４）露出を合わせる対象物選択
（５）ホワイトバランスを合わせる対象物選択【００７９】
本発明の撮影装置は、カメラ部と、前記カメラ部で撮影した画像を表示する表示部と、前記表示部に重ねて配置されたタッチパネルと、を備え、少なくとも第１のモードと第２のモードとを有し、第１の方向の第１フリック操作によって、前記第１のモードから前記第２のモードに変わる撮影装置であって、前記第２のモードは、所定のプログラムを起動可能である。【００８０】
上記構成によれば、フリック操作という簡単な操作でプログラムの切替えが可能となる。【００８１】
上記構成において、無線を用いて外部と通信可能な通信部を備え、前記所定のプログラムは前記通信部を介して受信可能である。【００８２】
上記構成によれば、所定のプログラムを容易に取得することができる。【００８３】
上記構成において、前記所定のプログラムは、使用者によって設定可能である。【００８４】
上記構成において、前記所定のプログラムが設定されている場合で、かつ前記第１のモードから前記第２のモードに変わった場合、前記所定のプログラムを起動し、前記所定のプログラムが設定されていない場合で、かつ前記第１のモードから前記第２のモードに変わった場合、プログラムの設定を促す表示をする。【００８５】
上記構成によれば、所定のプログラムが設定されていない場合、第１のモードから第２のモードに変わった場合にプログラムの設定を促す表示が行われるので、所定のプログラムの設定を確実なものとすることができる。【００８６】
上記構成において、前記所定のプログラムが設定されている場合で、かつ前記第１のモードから前記第２のモードに変わった場合、前記所定のプログラムを起動し、前記所定のプログラムが設定されていない場合で、かつ前記第１のモードから前記第２のモードに変わった場合、プログラムの設定を促す機能が起動する。【００８７】
上記構成によれば、所定のプログラムが設定されていない場合、第１のモードから第２のモードに変わった場合にプログラムの設定を促す機能が起動するので、所定のプログラムの設定を確実なものとすることができる。【００８８】
上記構成において、前記第１の方向と反対方向である第２の方向の第２フリック操作によって、前記第２のモードから前記第１のモードに変わる。【００８９】
上記構成によれば、第２のモードから第１のモードに戻すことができる。【００９０】
上記構成において、前記第１のモードは、予め定められたモードである。【００９１】
上記構成において、前記表示部は長方形であり、前記第１の方向は、前記長方形の所定の辺に対して離れる方向である。【００９２】
上記構成において、前記第１の方向は、前記長方形の前記所定の辺に対して離れる方向であり、かつ前記長方形の中心へ向かう方向である。【００９３】
上記構成によれば、第１の方向を限定するので、操作ミスの低減が図れる。【００９４】
上記構成において、前記第１のモードにおいて、前記タッチパネルにおける、前記所定の辺より所定の幅の領域をタッチされた場合、前記第２のモードに対応する表示を行う。【００９５】
上記構成によれば、第２のモードに対応する表示を行わせる領域を限定するので、操作ミスの低減が図れる。【００９６】
上記構成において、前記第２のモードに対応する表示は、図形、アイコン、又は文言である。【００９７】
上記構成において、前記所定の幅の領域をタッチされた後に、続けて第１フリック操作を入力可能である。【００９８】
上記構成によれば、当該領域をタッチすることで、第１フリック操作を入力可能とするので、操作ミスの低減が図れる。【００９９】
上記構成において、前記タッチパネルにおける、前記所定の辺より所定の幅の領域を所定の時間タッチされた場合、前記第２のモードに対応する表示を行う。【０１００】
上記構成によれば、当該領域を所定の時間タッチすることで、第２のモードに対応する表示が行われるので、操作ミスの低減が図れる。【０１０１】
上記構成において、前記第１のモードは、第１の撮影モードであり、前記第２のモードは、第２の撮影モードである。【０１０２】
上記構成において、前記第１のモードは、第１の撮影モードであり、前記第２のモードは、前記第１の撮影モードで撮影した画像について表示するモードである。【０１０３】
上記構成において、前記第１のモードは、第１の撮影モードであり、前記第２のモードは、前記第１の撮影モードで撮影した画像について編集するモードである。【０１０４】
上記構成において、前記タッチパネルは、前記表示部の略全面において重ねて配置された。【０１０５】
上記構成において、前記表示部において前記タッチパネルが重ねて配置される面積は、前記表示部の面積の９０％以上１００％以下である。【０１０６】
上記構成において、前記タッチパネルにおいて前記表示部が重ねて配置される面積は、前記タッチパネルの面積の９０％以上１００％以下である。
【発明の効果】
【０１０７】
本発明によれば、晴天下の野外などの周囲が明るい環境で撮影を行う場合でも表示部の画面を容易にかつ確実に確認することができ、容易に構図を決めることができる。【０１０８】
また、本発明によれば、表示部の大型化に伴う筐体の狭額縁化が進んでも、筐体の端を触れることで起こる誤動作を防止することができる。【０１０９】
また、本発明によれば、フリック操作という簡単な操作でプログラムの切替えを行うことができる。
【図面の簡単な説明】
【０１１０】
【図１】本発明の実施の形態１に係る撮影装置の概略構成を示すブロック図
【図２】（ａ），（ｂ）図１の撮影装置の概観を示す斜視図
【図３】（ａ），（ｂ）図１の撮影装置の表示部の輝度を変化させる操作を説明するための図
【図４】図１の撮影装置の表示部が明るくなった旨の表示の一例を示す図
【図５】図１の撮影装置の表示部の輝度変化処理を説明するためのフローチャート
【図６】図１の撮影装置の変形例である撮影装置の概観を示す斜視図
【図７】図１の撮影装置の応用例である撮影装置の概略構成を示すブロック図
【図８】図１の撮影装置の応用例である表示装置の概略構成を示すブロック図
【図９】本発明の実施の形態３に係る撮影装置の概略構成を示すブロック図
【図１０】（ａ）〜（ｅ）図９の撮影装置における撮影条件変更とフラッシュライト設定変更の一例を示す模式図
【図１１】（ａ）〜（ｅ）図９の撮影装置におけるフリック機能変更操作の一例を示す模式図
【図１２】図１１の（ｄ）、（ｅ）の拡大図
【図１３】（ａ）〜（ｅ）図９の撮影装置におけるフリック機能変更操作の他の例を示す模式図
【図１４】図９の撮影装置のフリック操作でのページめくり処理と、上下方向のフリック操作によるフラッシュライト変更処理を示すフローチャート
【図１５】図９の撮影装置のフリックの設定変更処理を示すフローチャート
【図１６】図９の撮影装置の長押し操作によるガイド表示処理を示すフローチャート
【図１７】本発明の実施の形態４に係る撮影装置の概略構成を示すブロック図
【図１８】（ａ），（ｂ）図１７の撮影装置の概観を示す斜視図
【図１９】図１７の撮影装置の第１のモード時に設定される不感領域を示す図
【図２０】図１７の撮影装置の第２のモード時における表示状態を示す図
【図２１】図１７の撮影装置の表示部に左右の親指が触れている状態を示す図
【図２２】図１７の撮影装置の動作を説明するためのフローチャート
【図２３】図１７の撮影装置の不感領域の変形例を示す図
【図２４】図１７の撮影装置の不感領域の変形例を示す図
【図２５】本発明の実施の形態５に係る撮影装置の概略構成を示すブロック図
【図２６】図２５の撮影装置の第１のモードにおけるタッチパネルに設定される５つの感応領域を示す図
【図２７】（ａ）〜（ｅ）図２５の撮影装置のアプリ起動操作を示す図
【図２８】図２５の撮影装置の使用の具体例を示す図
【図２９】図２５の撮影装置のアプリ切替えの処理過程を示すフローチャート
【図３０】図２５の撮影装置におけるアプリの設定を促す表示の一例を示す図
【図３１】図２５の撮影装置のアプリ選択処理を説明するためのフローチャート
【図３２】通信機能を持ち、インターネット等のネットワークを介してアプリをダウンロード可能な携帯端末の一例を示す概観図
【図３３】図３２の携帯端末のアプリ起動手順を示すフローチャート
【発明を実施するための形態】
【０１１１】
以下、本発明を実施するための好適な実施の形態について、図面を参照して詳細に説明する。
【０１１２】
（実施の形態１）
図１は、本発明の実施の形態１に係る撮影装置の概略構成を示すブロック図である。図２（ａ），（ｂ）は、本実施の形態に係る撮影装置の概観を示す斜視図である。図１において、本実施の形態に係る撮影装置１は、カメラ部２と、表示部３と、タッチパネル４と、鉛直センサ５と、ＣＰＵ（Central Processing Unit）６とを備える。また、本実施の形態に係る撮影装置１は、図２の（ａ）及び（ｂ）に示すように、直方体状の筐体から成り、該筐体の一方の面（第１面）１Ａ側にはカメラ部２が配置され、他方の面（第２面）１Ｂ側には表示部３とタッチパネル４が配置されている。表示部３及びタッチパネル４は、それぞれ長方形に形成されている。
【０１１３】
カメラ部２は、ＣＣＤやＣＭＯＳ（Complementary Metal Oxide Semiconductor）等の撮像素子（図示略）を有し、該撮像素子に結像した被写体の画像信号を生成し出力する。表示部３は、バックライト３１を供えた液晶表示器であり、カメラ部２で撮影された画像を表示する。表示部３には、被写体を撮影する前（即ち、シャッタを押す前）までは動画が表示され、被写体を撮影したときは一時的に静止画が表示される。また、撮影済みの動画を再生する場合は動画が表示され、撮影済みの静止画を再生する場合は静止画が表示される。なお、図示していないが、本実施の形態に係る撮影装置１は撮影した動画や静止画を記憶するフラッシュメモリ等のメモリを有している。表示部３の輝度は、バックライト３１の輝度を変化させることで変化する。
【０１１４】
タッチパネル４は、表示部３のバックライト３１と反対側の表示面側に重ねて配置され、人の指等が触れた位置の情報を出力する。鉛直センサ５は、撮影装置１の鉛直方向の検出に用いられ、撮影装置１の方向に応じたレベルの信号を出力する。鉛直センサ５のセンサ信号は、撮影装置１が鉛直方向に向いたときに最大となる。ＣＰＵ６は、装置各部を制御するものであり、図示せぬＲＯＭ及びＲＡＭを有する。該ＲＯＭには、ＣＰＵ６を制御するためのプログラムが記憶されている。該ＲＡＭは、ＣＰＵ６の動作において使用される所謂ワークメモリである。
【０１１５】
ＣＰＵ６は、タッチパネル４に所定の操作がなされた場合、表示部３のバックライト３１の輝度を第１の輝度から該第１の輝度より明るい第２の輝度へ変化させる。また、ＣＰＵ６は、バックライト３１の輝度を第２の輝度へ変化させたときに輝度が明るくなった旨を表示部３に表示する。この場合、ユーザが第２の輝度に変化したことを見逃すことがないように、ＣＰＵ６は、輝度が明るくなった旨の表示を第２の輝度に変化したときから所定時間継続させる。
【０１１６】
図３（ａ），（ｂ）は、表示部３の輝度を変化させるときの操作の一例を示す図である。図３の（ａ）に示すように、タッチパネル４に指先を当てて、表示部３の短手方向上向きに少しだけスライドさせると、表示部３のバックライト３１の輝度が第１の輝度から第２の輝度へ変化する。また、表示部３のバックライト３１の輝度が第２の輝度となっている状態で、図３の（ｂ）に示すように、タッチパネル４に指先を当てて、表示部３の短手方向下向きに少しだけスライドさせると、表示部３のバックライト３１の輝度が第２の輝度から第１の輝度へ変化する。このような操作はフリック操作と呼ばれる。表示部３のバックライト３１の輝度を上げるときは指先を上方向に動かし、輝度を下げるときは指先を下方向に動かすことで、直感的に輝度調整を行える。
本実施の形態において、前述のフリック操作については、スライドさせる速度（単位時間あたりの移動量）について、特徴をもたせてもよい。即ち、本実施の形態の撮影装置は、当該フリック操作の他に、例えば他のアプリケーション等を起動させる為の、他のフリック操作を有していてもよく、この場合、当該フリック操作のスライド速度を、他のフリック操作のスライド速度より速くしてもよい。
これにより、当該フリック操作と他のフリック操作を、スライド速度の違いによって、区別することができ、他のフリック操作（単純なタッチ操作を含む）により輝度が変換してしまうという誤動作を防止することができる。
【０１１７】
表示部３の輝度を変えるときのフリック操作は、本実施の形態では、鉛直センサ５で鉛直方向が検出されている間のみ有効としている。即ち、ＣＰＵ６は、鉛直センサ５で鉛直方向を検出している間だけ表示部３の輝度を変えるためのフリック操作を有効にする。なお、撮影方向を下に向けて撮影する場合や上に向けて撮影する場合もあるので、鉛直センサ５による条件を解除できるようにしてもよい。
【０１１８】
図４は、表示部３の輝度が明るくなった旨の表示の一例を示す図である。同図に示すように、表示部３の輝度が明るくなった旨の表示はアイコン１０で表示される。表示部３の輝度が明るくなった旨を表示することで、ユーザは、表示部３が第２の輝度に変化したことを容易に認識することができる。また、当該表示が所定時間継続することで、ユーザは、第２の輝度に変化したことを見逃すことがなくなり、表示部３の輝度が明るくなったことを確実に認識することができる。
また、当該所定時間は、輝度が明るくなる前から始まり、輝度が明るくなった後も継続するようにしてもよい。これにより、輝度が明るくなった直後にアイコン表示を認識することができる。
さらに、輝度は徐々に明るくするようにしてもよい。この場合、当該所定時間は、輝度が明るくなりきる前から始まり、輝度が明るくなりきった後（即ち、輝度が一定になった後）も継続するようにしてもよい。これにより、アイコン表示を認識できる程度に輝度が明るくなった直後にアイコン表示を認識することができる。
【０１１９】
次に、本実施の形態に係る撮影装置１の動作について説明する。
図５は、本実施の形態に係る撮影装置１における輝度調整時の動作を説明するためのフローチャートである。同図において、ＣＰＵ６は、鉛直センサ５で鉛直方向を検出している状態で、鉛直方向に沿って下から上へのフリック操作が行われたことを検出すると、表示部３の輝度即ちバックライト３１の輝度を第１の輝度から第２の輝度へ変化させる（ステップＳ１）。次いで、ＣＰＵ６は、表示部３が明るくなった旨を表示部３に表示する（ステップＳ２）。即ち、図４に示すアイコン１０を表示部３に表示する。アイコン１０を所定時間継続して表示した後、アイコン１０の表示を消去し（ステップＳ３）、本処理を終える。
【０１２０】
このように本実施の形態に係る撮影装置１によれば、タッチパネル４に対し、鉛直方向に沿って下から上へのフリック操作が行われると、表示部３の輝度を第１の輝度から該第１の輝度より明るい第２の輝度に変化させ、かつ、アイコン１０を用いて明るくなった旨を表示部３に表示し、さらに、アイコン１０の表示を第２の輝度に変化した後も継続させるので、晴天下の野外などの周囲が明るい環境で撮影を行う場合でも表示部３の画面を容易にかつ確実に確認することができる。
【０１２１】
なお、本実施の形態に係る撮影装置１の表示部３は、バックライト３１を供えた液晶表示器であったが、それぞれの画素が自発光する表示器であってもよい。この場合、表示部の輝度は、自発光の輝度を変化させることで、変化させる。画素が自発光する表示器として、例えばＥＬ表示器がある。この表示器を用いることで、バックライトを必要とする液晶表示器と比べて省電力化が可能となる。
【０１２２】
また、本実施の形態に係る撮影装置１では、カメラ部２を、表示部３及びタッチパネル４が配置された側の面とは反対側の面に配置したが、同一の面に配置してもよいし、カメラ部２を２個用いて、その一方を表示部３とタッチパネル４が配置された側の面に配置し、他方を反対側の面に配置するようにしてもよい。図６は、カメラ部２を、表示部３及びタッチパネル４が配置された側の面側に配置した撮影装置１Ｃの概観を示す斜視図である。
【０１２３】
また、本実施の形態に係る撮影装置１における処理を記述したプログラムを、磁気ディスク、光ディスク、光磁気ディスク、半導体メモリ等の記憶媒体に格納して配布したり、インターネット等のネットワーク上のサーバ（図示略）に保存するようにして、電気通信回線を利用してダウンロードできるようにしたりすることも可能である。
【０１２４】
図７は、本実施の形態に係る撮影装置１の応用例である撮影装置の概略構成を示すブロック図である。同図に示す撮影装置２０は、上述した撮影装置１に通信部２１と記憶部２２を追加して、インターネット上のサーバに保存されたプログラムをダウンロードできるようにしたものである。ＣＰＵ６は、通信部２１を介してインターネット４０上のサーバ５０にアクセスし、サーバ５０に保存されたプログラム（図５に示すフローチャートを具現化したプログラム）をダウンロードする。そして、ダウンロードしたプログラムを記憶部２２に記憶させる。ＣＰＵ６は、インターネットなどのネットワークを利用したデータのやりとりに必要なプロトコルとして、例えばＴＣＰ／ＩＰ（Transmission Control Protocol/Internet Protocol）及びＨＴＴＰ（Hyper Text Transfer Protocol）を用いる。ＣＰＵ６は、ＴＣＰ／ＩＰを使用して通信路を開設し、ＨＴＴＰを使用してデータの送受信を行う。
【０１２５】
また、本実施の形態に係る撮影装置１と同等の機能を表示装置に持たせることも可能である。図８は、本実施の形態に係る撮影装置１の応用例である表示装置６０の概略構成を示すブロック図である。なお、この図において前述した図１と共通する部分には同一の符号を付けている。この図に示す表示装置６０は、画像を表示する表示部３と、該表示部３に重ねて配置されたタッチパネル４と、を備え、タッチパネル４に所定の操作がなされた場合、表示部３の輝度を第１の輝度から該第１の輝度より明るい第２の輝度へ変化させるとともに、明るくなった旨を表示部３に表示し、さらに、明るくなった旨の表示を、少なくとも第２の輝度に変化した後も継続する。なお、表示部３には、例えばテレビジョン放送を受信して得られる動画を表示するようにしてもよい。
【０１２６】
また、本発明の撮影装置は、スマートフォン等の撮影機能以外の機能を備える装置に適用してもよい。即ち、このような撮影装置は、撮影モードとその他の機能のモードを持つことになる。
撮影モードにおいては、これまで説明してきたように、タッチパネルに所定の操作がなされた場合、表示部の輝度を、第１の輝度から、第１の輝度より明るい第２の輝度へ変化させた後は、継続して第２の輝度にするが、継続して第２の輝度にしている間に、他の機能モードに遷移した場合は、第２の輝度より暗い輝度（例：第１の輝度）にするようにしてもよい。これにより、撮影モード以外の他の機能モードでは、輝度が暗くなり、撮影装置の消費電力を小さくすることができ、電池で動作する撮影装置の場合、動作時間を長くすることができる。
更に、再び撮影モードに遷移した場合、暗い輝度（例：第１の輝度）のままにしてもよい。これにより、第２の輝度になる頻度を少なくすることができ、更に撮影装置の消費電力を小さくすることができ、電池で動作する撮影装置の場合、更に動作時間を長くすることができる。
【０１２７】
（実施の形態２）
また、他の実施の形態の撮影装置として、カメラ部と、前記カメラ部で撮影した画像を表示する表示部と、前記表示部に重ねて配置されたタッチパネルと、を備え、前記タッチパネルに所定の操作がなされた場合、前記表示部のガンマ特性を、第１のガンマ特性から、第２のガンマ特性へ変化させ、前記表示部のガンマ特性を変化させた旨を前記表示部が表示する撮影装置であって、前記ガンマ特性を変化させた旨の表示は、少なくとも前記第２のガンマ特性に変化した後も継続するようにしてもよい。
この構成によれば、タッチパネルに所定の操作がなされると、表示部のガンマ特性が、第１のガンマ特性（暗い環境下で認識性の高いガンマ特性）から、第２のガンマ特性（明るい環境下で認識性の高いガンマ特性）に変化し、かつ、表示部のガンマ特性が変化した旨が表示部に表示され、ガンマ特性が変化した旨の表示は、少なくとも第２のガンマ特性に変化した後も継続するので、晴天下の野外などの周囲が明るい環境で撮影を行う場合に、表示部の画面を容易にかつ確実に確認することができるとともに、明るい環境下で認識性の高いガンマ特性になった後に、ガンマ特性が変化した旨の表示を基に、ガンマ特性が変化したことを確実に認識することができる。
【０１２８】
（実施の形態３）
図９は、本発明の実施の形態３に係る撮影装置の概略構成を示すブロック図である。なお、同図において、前述した実施の形態１に係る撮影装置１と共通する部分には同一の符号を付けている。実施の形態３に係る撮影装置７０は、カメラ部２と、表示部３と、タッチパネル４と、鉛直センサ５と、ＣＰＵ６と、フラッシュライト部７と、記憶部８と、操作判定部９と、合成部１１とを備える。
【０１２９】
カメラ部２は、ＣＣＤやＣＭＯＳ等の撮像素子（図示略）を有し、該撮像素子に結像した被写体の画像信号を生成し出力する。表示部３は、バックライト３１を供えた液晶表示器（ＬＣＤ）であり、カメラ部２で撮影された画像を表示する。表示部３には、被写体を撮影する前（即ち、シャッタを押す前）までは動画が表示され、被写体を撮影したときは一時的に静止画が表示される。また、撮影済みの動画を再生する場合は動画が表示され、撮影済みの静止画を再生する場合は静止画が表示される。
【０１３０】
フラッシュライト部７は、ＣＰＵ６によって発光制御される。記憶部８は、タッチパネル４に対するフリック操作と実行される機能を対応づけて記憶する。記憶部８には、書き換え可能な不揮発性の半導体メモリ（例えば、フラッシュメモリ）が用いられる。操作判定部９は、ＣＰＵ６より出力されるタッチパネル４の出力情報に基づいてフリック操作を判定し、判定したフリック操作に対応する機能が記憶部８に記憶されていれば、当該機能をＣＰＵ６に出力する。また、操作判定部９は、タッチパネル４上の設定操作により、タッチパネル４に対するフリック操作と実行される機能を対応づけて記憶部８に記憶させる。
【０１３１】
ＣＰＵ６は、タッチパネル４にフリック操作がなされたことを認識すると、カメラ部２における撮影条件を、現在の撮影条件（第１の撮影条件）から、現在の撮影条件とは異なる撮影条件（第２の撮影条件）へ変化させる。この場合、撮影条件には、例えば、“シーン”や“エフェクト”がある。“シーン”には、“人物”、“ポートレート”、“風景”、“パーティ”などの各モードがあり、“エフェクト”には、“セピア”、“ソフト”、“モノクローム”、“ハイキー”、“ローキー”など各モードがある。ＣＰＵ６は、タッチパネル４にてフリック操作がなされたことを認識すると、例えばフラッシュライト部７の設定を変化させる。フラッシュライト部７の設定には、“自動発光”、“強制発光（フラッシュＯＮ）”、“発光禁止（フラッシュＯＦＦ）”、“常時点灯”がある。フラッシュライト部７の設定をフリック操作に対応させることで、ハードキーの操作やメニューを開くことなく即座に設定変更ができ、シャッターチャンスを逃す機会が大幅に減少するという効果が得られる。また、下方向のフリック操作を常に“発光禁止”に設定しておくことで、簡単に発光禁止にでき、撮影時に発光させて迷惑をかけることがない。
【０１３２】
合成部１１は、現在の撮影条件（第１の撮影条件に対応）で撮影された画像（第１の画像に対応）及び撮影条件変更後の撮影条件（第２の撮影条件に対応）で撮影された画像（第２の画像に対応）に対して合成又はアニメーションの処理を施す。即ち、合成部１１は、撮影条件の変更の際に、ページをめくるような効果を出すために、現在の撮影条件の画像と、変更後の撮影条件の画像を用いて合成又はアニメーション処理を施す。なお、合成処理とアニメーション処理は、そのいずれか一方のみ行っても良いし、両方行っても良い。
【０１３３】
ＣＰＵ６は、合成部１１で合成又はアニメーションの処理が施された２つの画像（第１の画像及び第２の画像）を表示部３に表示する。合成部１１の処理によって、ページめくりのように、撮影条件の変化（変更前と変更後の効果）が表示部３に表示される画像の変化で分かるので、撮影条件の変化を直感的に認識することができる。また、アニメーションさせることによってアミューズメント効果も得られる。
【０１３４】
図１０（ａ）〜（ｅ）は、撮影条件変更とフラッシュライト設定変更の一例を示す模式図である。図１０の（ａ）に示すように、“通常モード”が設定されている状態で、図１０の（ｂ）に示すように、タッチパネル４にて右方向にフリック操作すると、ページをめくる感覚で、“通常モード（第１の撮影条件に対応）”を示す画像から“セピアモード（第２の撮影条件に対応）”を示す画像に変わって行き、最終的に、図１０の（ｃ）に示すように、“セピアモード”を示す画像になり、“セピアモード”が設定される。なお、“セピアモード”から“通常モード”に戻す場合はタッチパネル４にて左方向にフリック操作すればよい。このように、左右のフリック操作を、撮影条件の変更に設定しておくことで、右方向にフリック操作することで、撮影条件を“通常モード”から“セピアモード”、“ソフト”、“モノクローム”と存在する撮影条件に次々に変化させることができる。また、“セピアモード”の状態で、左方向にフリック操作することで、“セピアモード”から“通常モード”に撮影条件が逆順に変化する。
【０１３５】
一方、図１０の（ａ）に示すように、“フラッシュＯＦＦ”の状態で、図１０の（ｄ）に示すように、タッチパネル４にて上方向にフリック操作すると、“フラッシュＯＮ”を示すアニメーションが表示され、最終的に、図１０の（ｅ）に示すように、“フラッシュＯＮ”が設定される。“フラッシュＯＮ”に設定された状態から、“フラッシュＯＦＦ”に戻す場合は、下方向にフリック操作すればよい。このように、上下のフリック操作を、“フラッシュＯＦＦ”と”フラッシュＯＮ”に設定しておくことで、上方向にフリック操作することで、フラッシュライト設定が、“フラッシュＯＦＦ”から“フラッシュＯＮ”に変化する。また、“フラッシュＯＮ”の状態で、下方向にフリック操作することで、フラッシュライト設定が、“フラッシュＯＮ”から“フラッシュＯＦＦ”に変化する。
フリック操作と実行される機能は、これらを対応させて記憶部８に保持しておけば、メニューを出さなくても簡単に設定変更ができる。
【０１３６】
図１１（ａ）〜（ｅ）は、フリック機能変更操作の一例を示す模式図である。同図は、上下方向のフリック操作に表示部３の輝度を設定した例である。まず図１１の（ａ）に示すように、初期画面においてＭｅｎｕ（メニュー）ボタン８０をタッチする。これにより、図１１の（ｂ）に示すように、フリック機能変更画面が表示される。このフリック機能変更画面において上下方向ボタン８１をタッチすると、図１１の（ｃ）に示すように、上下方向設定画面が表示される。この上下方向設定画面においてＬＣＤ輝度ボタン８２をタッチすると、フリック操作の上下方向にＬＣＤ輝度が設定される。ＬＣＤ輝度設定が完了すると、初期画面に戻る。
【０１３７】
設定した機能を確認する場合は、図１１の（ｄ）に示すように、初期画面においてタッチパネル４を長押しする（タッチパネル４上の任意の位置を長押しする）。これにより、図１１の（ｅ）に示すように、フリック設定状態が表示される。同図では、上下方向にＬＣＤ輝度が設定されており、左右方向にシーンが設定されている。ＬＣＤ輝度設定は、上方向がＬＣＤ輝度ＯＮ、下方向がＬＣＤ輝度ＯＦＦに設定されている。フリック設定状態が表示された後、所定時間経過後に初期画面に戻る。図１２は、図１１の（ｄ）、（ｅ）の拡大図であり、初期画面においてタッチパネル４を長押しすることでフリック設定状態が表示され、所定時間経過後に初期画面に戻る。
【０１３８】
タッチパネル４を長押ししたときの動作は次のようになる。
操作判定部９が、タッチパネル４の出力が一定時間同じ値を取ったことを認識すると、記憶部８からタッチパネル４に対するフリック操作と実行される機能を読み出し、それを現在の設定メニュー状態としてＣＰＵ６に出力する。ＣＰＵ６は、操作判定部９から出力された現在の設定メニュー状態を表示部３に一覧表示する。
【０１３９】
図１３（ａ）〜（ｅ）は、フリック機能変更操作の他の例を示す模式図である。同図は、左右方向のフリック操作にカメラ部２の露出を設定した例である。まず図１３の（ａ）に示すように、初期画面においてＭｅｎｕ（メニュー）ボタン８０をタッチする。これにより、図１３の（ｂ）に示すように、フリック機能変更画面が表示される。このフリック機能変更画面において左右方向ボタン８３をタッチすると、図１３の（ｃ）に示すように、左右方向設定画面が表示される。この左右方向設定画面において露出変更ボタン８４をタッチすると、フリック操作の左右方向に露出（＋、−）が設定される。露出（＋、−）設定が完了すると、初期画面に戻る。
【０１４０】
設定した機能を確認する場合は、図１３の（ｄ）に示すように、初期画面において任意の位置を長押しする（タッチパネル４上の任意の位置を長押しする）。これにより、図１３の（ｅ）に示すように、フリック設定状態が表示される。同図では、上下方向にＬＣＤ輝度が設定されており、左右方向に露出（＋、−）が設定されている。露出（＋、−）設定は、右方向が露出＋、左方向が露出−である。フリック設定状態が表示された後、所定時間経過後に、初期画面に戻る。
【０１４１】
タッチパネル４が長押しされた場合、上記同様に、操作判定部９が、タッチパネル４の出力が一定時間同じ値を取ったことを認識すると、記憶部８からタッチパネル４に対するフリック操作と実行される機能を読み出し、それを現在の設定メニュー状態としてＣＰＵ６に出力する。ＣＰＵ６は、操作判定部９から出力された現在の設定メニュー状態を表示部３に一覧表示する。
このように、ユーザがカスタマイズしたフリック機能の割り当てやデフォルト機能をグラフィカルに一覧表示することで、ユーザは、どのような機能が実行されるか容易に把握することができる。
【０１４２】
次に、実施の形態３に係る撮影装置７０の動作について説明する。
図１４は、実施の形態３に係る撮影装置７０のフリック操作でのページめくり処理と、上下方向のフリック操作によるフラッシュライト変更処理を示すフローチャートである。当該処理においては、主としてＣＰＵ６と操作判定部９で行われ、特にこれらは共同して行われることがあるため、主語の記載を省略する。
【０１４３】
図１４において、タッチパネル４にフリック操作が行われたかどうか判定し（ステップＳ１１）、フリック操作が行われていないと判断した場合（即ち、ステップＳ１１の判定で「ＮＯ」と判断した場合）、現在の操作に対して機能が割り当てられているかどうか判定する（ステップＳ１２）。ステップＳ１２の判定において、現在の操作に対して機能が割り当てられていると判断した場合（即ち、ステップＳ１２の判定で「ＹＥＳ」と判断した場合）、当該機能に対応するカメラ機能を実行する（ステップＳ１３）。カメラ機能としては、例えばタッチパネル４をタッチすることで、タッチＡＦ（Auto Focus）を実行する機能がある。
【０１４４】
カメラ機能を実行した後、本処理を終える。これに対して、現在の操作に対して機能が割り当てられていないと判断した場合（即ち、ステップＳ１２の判定で「ＮＯ」と判断した場合）、何も処理をすることなく本処理を終える。
【０１４５】
一方、上記ステップＳ１１の判定で、タッチパネル４にフリック操作が行われたと判断した場合（即ち、ステップＳ１１の判定で「ＹＥＳ」と判断した場合）、記憶部８から設定された機能を読み出す（ステップＳ１４）。記憶部８から設定された機能を読み出した後、アニメーション効果が必要かどうか判定する（ステップＳ１５）。即ち、ページめくりで撮影条件を変更するかどうか判定する。この判定において、アニメーション効果が必要と判断した場合（即ち、ステップＳ１５で「ＹＥＳ」と判断した場合）、撮影条件の変更前の画像を取得し（ステップＳ１６）、次いで、カメラ部２における撮影条件を変更する（ステップＳ１７）。例えば、通常モードからセピアモードに変更する。
【０１４６】
次いで、撮影条件の変更後の画像を取得し（ステップＳ１８）、次いで、取得した撮影条件の変更前の画像と変更後の画像を合成してアニメーション表示する（ステップＳ１９）。
【０１４７】
上記ステップＳ１５の判定で、アニメーション効果が必要でないと判断した場合（即ち、ステップＳ１５で「ＮＯ」と判断した場合）、フラッシュライト部７の設定を変更する（ステップＳ２０）。そして、設定変更後の画像を取得し（ステップＳ２１）、取得した画像を表示する（ステップＳ２２）。この画像を表示する処理を行った後、本処理を終える。
【０１４８】
図１５は、フリック操作による設定変更処理を示すフローチャートである。本処理においても主としてＣＰＵ６と操作判定部９で行われ、特にこれらは共同して行われることがあるため、主語の記載を省略する。図１５において、まず設定変更メニューを表示する（ステップＳ３０）。設定変更メニューは、例えば、図１１の（ｂ），（ｃ）に示すようなものである。次いで、フリックの設定機能を変更する（ステップＳ３１）。ユーザが設定変更メニューに従って操作を行うことで、上下方向のフリック操作を「液晶の輝度変更」に、左右方向のフリック操作を「シーン」に設定したり、上下方向のフリップ操作を「フラッシュライトのＯＮ／ＯＦＦ設定」に、左右方向のフリック操作を「露出補正の変更」に設定したりすることができる。フリックの設定機能を変更した後、記憶部８に設定機能を保存する（ステップＳ３２）。記憶部８に設定機能を保存した後、本処理を終える。
【０１４９】
図１６は、長押し操作によるガイド表示処理を示すフローチャートである。本処理においても主としてＣＰＵ６と操作判定部９で行われ、特にこれらは共同して行われることがあるため、主語の記載を省略する。図１６において、まずタッチパネル４の出力から長押し操作が行われたかどうか判定する（ステップＳ４０）。長押し操作が行われていないと判断した場合（即ち、ステップＳ４０で「ＮＯ」と判断した場合）、何も処理をせず本処理を終える。これに対し、長押し操作が行われたと判断した場合（即ち、ステップＳ４０で「ＹＥＳ」と判断した場合）、記憶部８から設定された機能を読み出し（ステップＳ４１）、設定されたフリック操作をガイド表示する（ステップＳ４２）。ガイド表示後、本処理を終える。但し、前述したように、ガイド表示した後、所定時間経過後に、ガイド表示を終了する。
【０１５０】
このように実施の形態３に係る撮影装置７０によれば、タッチパネル４にフリック操作がなされた場合、カメラ部２における撮影条件を、第１の撮影条件から、該第１の撮影条件とは異なる第２の撮影条件へ変化させるので、フリック操作によってカメラ部２における撮影条件を素早く切り替えることができる。これにより、シャッターチャンスを逃す機会が大幅に減少するなど、操作性向上が図れる。
【０１５１】
また、撮影された画像に対して合成又はアニメーションの少なくとも一方の処理を施すので、撮影条件の変化を直感的に認識でき、操作性の向上が図れる。また、アニメーションさせることによってアミューズメント効果も得られる。
【０１５２】
また、タッチパネル４にフリック操作がなされた場合、フラッシュライト部７の設定を変化させるので、フリック操作によってフラッシュライト部７の設定をハードキーの操作やメニューを開くことなく即時に変更できる。これにより、シャッターチャンスを逃す機会が大幅に減少するなど、操作性向上が図れる。
【０１５３】
また、タッチパネル４に対するフリック操作と実行される機能とを対応づけて記憶部８に記憶させるので、フリック操作によって実現される機能を自由にカスタマイズすることができ、操作性の向上が図れる。
【０１５４】
また、タッチパネル４を長押しすると、タッチパネル４に対するフリック操作と実行される機能を表示部３に一覧表示するので、機能の設定状態を容易に把握することができ、操作性の向上が図れる。
【０１５５】
なお、長押しを検出した場合以外にも、例えば同時に複数指を検出した場合や、所定のガイドアイコンをタッチした場合や所定の接触の軌跡を検出した場合等も含まれる。
【０１５６】
なお、実施の形態３において、フリック操作の検出以外にも、スライド操作やドラッグ操作を検出した場合も含まれる。
【０１５７】
なお、実施の形態３に係る撮影装置７０においても、前述した各処理（ページめくり処理、フラッシュライト変更処理、設定変更処理及びガイド表示処理）を記述したプログラムを、磁気ディスク、光ディスク、光磁気ディスク、半導体メモリ等の記憶媒体に格納して配布したり、インターネット等のネットワーク上のサーバ（図示略）に保存するようにして、電気通信回線を利用してダウンロードできるようにしたりすることも可能である。
【０１５８】
（実施の形態４）
図１７は、本発明の実施の形態４に係る撮影装置の概略構成を示すブロック図である。図１８（ａ），（ｂ）は、本実施の形態に係る撮影装置の概観を示す斜視図である。図１７に示すように、本実施の形態に係る撮影装置１０１は、２台のカメラ１０２Ａ，１０２Ｂを有するカメラ部１０２と、カメラ部１０２で撮影された画像を表示する表示部１０３と、撮影装置１０１を動作させる各種操作を行うためのタッチパネル１０４と、装置各部を制御するＣＰＵ（Central Processing Unit）１０５とを備える。
【０１５９】
また、本実施の形態に係る撮影装置１０１は、図１８の（ａ），（ｂ）に示すように、第１の面１１０Ａと第２の面１１０Ｂを有する横長の長方形状の筐体１１０を有し、表示部１０３とタッチパネル１０４は第１の面１１０Ａに配置され、第１の面１１０Ａと第２の面１１０Ｂの角１１０Ｃと表示部１０３との間に縁部１１０Ｄを備えている。また、図１８の（ａ）に示すように、第１の面１１０Ａ側の縁部１１０Ｄの左上部分１１０Ｄａにカメラ部１０２のカメラ１０２Ａが配置されている。また、図１８の（ｂ）に示すように、筐体１１０の第２の面１１０Ｂの左上部分１１０Ｂａにカメラ部１０２のカメラ１０２Ｂが配置されている。第１の面１１０Ａ側の縁部１１０Ｄは表示部１０３の大型化に伴い狭くなっている。表示部１０３及びタッチパネル１０４はそれぞれ長方形に形成されている。縁部１１０Ｄの幅は、例えば０ｍｍより大きく、３．５ｍｍより小さい値である。或いは、縁部１１０Ｄの幅は、この例を含み、以下の（１）〜（９）のいずれかであっても良い。
（１）０ｍｍより大きく、４．２ｍｍより小さい値
（２）０ｍｍより大きく、３．５ｍｍより小さい値
（３）０ｍｍより大きく、３．０ｍｍより小さい値
（４）０ｍｍより大きく、２．５ｍｍより小さい値
（５）０ｍｍより大きく、２．０ｍｍより小さい値
（６）０ｍｍより大きく、１．５ｍｍより小さい値
（７）０ｍｍより大きく、１．０ｍｍより小さい値
（８）０ｍｍより大きく、０．５ｍｍより小さい値
（９）０ｍｍ（即ち、本撮影装置が縁部を持たない場合）
【０１６０】
カメラ部１０２は、カメラ１０２Ａ又はカメラ１０２Ｂで撮影された被写体の画像信号を出力する。カメラ部１０２は、撮影時に、オートフォーカス（ＡＦ）、オートエクスポージャー（ＡＥ、自動露出）、オートホワイトバランス（ＡＷＢ）、電子ズーム、撮影（シャッター）等の撮影に必要な制御を行う。カメラ１０２Ａ，１０２Ｂは、ＣＣＤ（Charge Coupled Device）やＣＭＯＳ（Complementary Metal Oxide Semiconductor）等の撮像素子（図示略）を有し、該撮像素子に結像した被写体の画像信号を生成し出力する。
【０１６１】
表示部１０３は、バックライト１３１を備えたＬＣＤ（液晶表示器）であり、カメラ部１０２で撮影された画像や撮影装置１０１の各種機能を実行させるためのアイコンを表示する。表示部１０３には、被写体を撮影する前（即ち、シャッター操作の前）までは動画が表示され、被写体を撮影したときは一時的に静止画が表示された後、動画が表示される。また、撮影済みの動画を再生する場合は当該動画が表示され、撮影済みの静止画を再生する場合は当該静止画が表示される。なお、図示していないが、撮影装置１０１は、撮影した動画や静止画を保存するためのフラッシュメモリ等のメモリを有している。
【０１６２】
タッチパネル１０４は、表示部１０３のバックライト１３１と反対側の表示面側に重ねて配置されている。タッチパネル１０４は、人の指等が触れた位置の情報を出力する。タッチパネル１０４は、表示部１０３がカメラ部１０２で撮影された画像を表示する第１のモードにおいて、表示部１０３の周辺部において所定の幅で不感領域を備え、所定の画像（例えば、ホームページ閲覧時の画像やメール入力時の画像等）を表示する第２のモードにおいて不感領域を備えない。タッチパネル１０４の大きさ（面積）は、本実施の形態では表示部１０３の面積の９０％以上１００％以下としている。なお、表示部１０３の大きさをタッチパネル１０４より小さくしても構わない。例えばタッチパネル１０４の面積の９０％以上１００％以下としても良い。また、タッチパネル１０４は、感圧方式でも、静電容量方式でも良く、或いは他の方式でも良い。
【０１６３】
ＣＰＵ１０５は、図示せぬＲＯＭ（Read Only Memory）及びＲＡＭ（Random Access Memory）を有しており、該ＲＯＭにはＣＰＵ１０５を制御するためのプログラムが記憶されており、該ＲＡＭはＣＰＵ１０５の動作において使用される（所謂ワークメモリ）。ＣＰＵ１０５は、装置各部を制御するための複数のモードを有する。複数のモードのうち、第１のモードでは、カメラ部１０２で撮影された画像を表示部１０３に表示させる。この場合、カメラ部１０２で撮影される画像の表示面積は、表示部１０３の全面積に対して８０％以上となり、表示部１０３の略全面で表示される。第２のモードでは、第１のモードで表示する画像とは異なる画像（所定の画像）を表示部１０３に表示させる。また、ＣＰＵ１０５は、第１のモード時にタッチパネル１０４に対し、表示部１０３の周辺部において所定の幅で不感領域を設定させる。第２のモード時では当該不感領域の設定はさせない。
【０１６４】
図１９は、撮影装置１０１の第１のモード時に設定される不感領域を示す図である。同図に示すように、タッチパネル１０４において、第１のモード時には表示部１０３の周辺部に不感領域１１５が設定される。この不感領域１１５は、縁部１１０Ｄと表示部１０３の境から表示部１０３の中心に向かった所定距離の帯状の領域であり、長方形の表示部１０３の四辺に沿って配置される。この場合、長方形の表示部１０３の各辺に対応する不感領域は全て同じ幅になっている。図２０は、撮影装置１０１の第２のモード時における表示状態を示す図である。同図に示すように、第２のモード時には不感領域１１５は設定されない。
【０１６５】
第１のモード時に表示部１０３の周辺部に不感領域１１５が設定されることで、カメラ撮影時にユーザの手指が筐体１１０の端に触れても、触れた箇所が不感領域１１５内であれば、触れた位置に対応する処理は実行されない。通常、カメラ撮影時には筐体１１０の両方の短辺側を両手で持つことになるが、その際、図２１に示すように左右の親指２００Ｌ，２００Ｒがタッチパネル１０４に触れてしまうことがある（必ずしも親指が触れるとは言えないが、親指が触れる割合が高いと言える）。タッチパネルに触れることによるカメラのオートフォーカス、オートエクスポージャー、オートホワイトバランス、電子ズーム、撮影（シャッター）を行う仕組みを採用している撮影装置の場合、カメラ撮影時に左右の親指のいずれか一方でもタッチパネルに触れてしまうことで撮影等をしてしまう可能性が高いが、本実施の形態の撮影装置１０１では、第１のモードにおいて表示部１０３の周辺部に不感領域１１５を設定するので、不感領域１１５に触れても撮影等は行われない。即ち、カメラ撮影時に筐体の端を触れることで起こる誤動作を防止することができる。
【０１６６】
一方、アイコン１２０（図１９参照）については、不感領域１１５に入っていても有効であり、アイコン１２０へのタッチは受け付けられる。即ち、ＣＰＵ１０５は、不感領域１１５内にあるアイコン１２０へのタッチを受け付ける。アイコン１２０は不感領域１１５に入っていても有効であるので、不感領域１１５の大きさに関係せず、アイコン１２０の一部が不感領域１１５よりはみ出ていても構わない。
【０１６７】
ＣＰＵ１０５は、タッチパネル１０４の不感領域１１５以外の領域が触られたことを検知すると、以下の（１）〜（５）の各機能の入力を受け付ける。この場合、（１）〜（５）を組み合わせた機能、あるいはその一部の機能の入力を受け付ける。
（１）オートフォーカスの対象物選択
（２）シャッター（静止画撮影の場合は、少なくとも一枚の静止画撮影開始指示であり、動画撮影の場合は、動画撮影開始の指示である。）
（３）電子ズームの対象物選択
（４）露出を合わせる対象物選択
（５）ホワイトバランスを合わせる対象物選択
【０１６８】
次に、本実施の形態に係る撮影装置１０１の動作を説明する。
図２２は、本実施の形態に係る撮影装置１０１の動作を説明するためのフローチャートである。同図において、ＣＰＵ１０５は、電源スイッチ（図示略）がオンに投入されたことを検出することでカメラ部１０２を起動する（ステップＳ１０１）。ＣＰＵ１０５は、カメラ部１０２を起動させた後、タッチ操作を受け付ける（ステップＳ１０２）。そして、タッチ操作を受け付けると、タッチされた領域が不感領域であるかどうか判定する（ステップＳ１０３）。不感領域以外の領域でタッチ操作が行われた場合（即ち、ステップＳ１０３の判定で「Ｎｏ」と判断した場合）、ＣＰＵ１０５は、当該操作に応じた処理を行う（ステップＳ１０４）。例えば、オートフォーカス（ＡＦ）、オートエクスポージャー（ＡＥ）、オートホワイトバランス（ＡＷＢ）、電子ズーム、撮影開始等を実行する。当該処理を行った後、本処理を終える。
【０１６９】
上記ステップＳ１０３の判定で、不感領域内でタッチ操作が行われた場合（即ち、ステップＳ１０３の判定で「Ｙｅｓ」と判断した場合）、ＣＰＵ１０５は、アイコンを表示しているかどうか判定し（ステップＳ１０５）、アイコンを表示していない場合（ステップＳ１０５の判定で「Ｎｏ」と判断した場合）、処理を行わない（ステップＳ１０６）。例えば、オートフォーカス（ＡＦ）、オートエクスポージャー（ＡＥ）、オートホワイトバランス（ＡＷＢ）、電子ズーム、撮影開始を行わない。当該処理を行った後、本処理を終える。
【０１７０】
上記ステップＳ１０５の判定で、アイコンを表示している場合（ステップＳ１０５の判定で「Ｙｅｓ」と判断した場合）、ＣＰＵ１０５は、タッチポイントがアイコンの場所かどうか判定する（ステップＳ１０７）。タッチポイントがアイコンの場所でない場合（ステップＳ１０７の判定で「Ｎｏ」と判断した場合）、ステップＳ１０６の処理を行い、本処理を終える。これに対し、タッチポイントがアイコンの場所である場合（ステップＳ１０７の判定で「Ｙｅｓ」と判断した場合）、ＣＰＵ１０５は、タッチされたアイコンの機能を実行する（ステップＳ１０８）。当該処理を行った後、本処理を終える。
【０１７１】
このように本実施の形態に係る撮影装置１０１によれば、表示部１０３がカメラ部１０２で撮影した画像を表示する第１のモードと、所定の画像を表示する第２のモードを有し、第１のモードにおいてタッチパネル１０４は、表示部１０３の周辺部において所定の幅で不感領域１１５を備えるので、表示部１０３の大型化に伴う筐体１１０の狭額縁化が進んでも、筐体１１０の端を触れることで起こる誤動作を防止することができる。
【０１７２】
なお、本実施の形態において、長方形の表示部１０３の四辺に沿って不感領域１１５を配置したが、このパターンに限定されるものではなく、長方形の表示部１０３の向かい合う二辺に沿って配置する等、表示部１０３の少なくとも一辺に沿って配置すると良い。また、長方形の表示部１０３の長辺と短辺とで幅を変えるようにしても良い。例えば、図２３に示すように、長方形の表示部１０３の短辺の不感領域１１５Ａの幅Ｗ１を表示部１０３の長辺の不感領域１１５Ｂの幅Ｗ２より広くするようにしても良い。
【０１７３】
また、不感領域１１５を第２のモード時にも設定するようにしても良い。この場合、不感領域の幅を第１のモード時の不感領域の幅より狭くすると良い。図２４は、第２のモード時の筐体１１０の第１の面１１０Ａ側を示す図である。同図に示すように、タッチパネル１０４において、第２のモード時には第１のモード時より幅の狭い不感領域１１６が設定される。
【０１７４】
また、本実施の形態では、タッチパネル１０４が不感領域１１５を設定するようにしたが、ＣＰＵ１０５がタッチ操作に対して不感領域１１５を設定するようにしても良い。即ち、ＣＰＵ１０５は、第１のモードにおいて、タッチ操作に対し、表示部１０３の周辺部において所定の幅で不感領域とし、第２のモードにおいて、タッチ操作に対し、当該不感領域を設定しない。
【０１７５】
また、本実施の形態では、図２２のフローチャートで示す処理を記述したプログラムをＣＰＵ１０５に持たせたが、当該プログラムを、磁気ディスク、光ディスク、光磁気ディスク、半導体メモリ等の記憶媒体に格納して配布したり、インターネット等のネットワーク上のサーバ（図示略）に保存するようにして、電気通信回線を利用してダウンロードできるようにしたりすることも可能である。
【０１７６】
（実施の形態５）
図２５は、本発明の実施の形態５に係る撮影装置の概略構成を示すブロック図である。同図において、本実施の形態に係る撮影装置３０１は、カメラ部３０２と、カメラ部３０２で撮影された画像を表示する表示部３０３と、撮影装置３０１を動作させる各種操作を行うためのタッチパネル３０４と、無線を用いてインターネット等のネットワーク４００上のマーケットサイト４１０と通信を行う通信部３０５と、装置各部を制御するＣＰＵ（Central Processing Unit）３０６と、を備える。
【０１７７】
カメラ部３０２は、ＣＣＤ（Charge Coupled Device）やＣＭＯＳ（Complementary Metal Oxide Semiconductor）等の撮像素子（図示略）を有し、該撮像素子に結像した被写体の画像信号を出力する。カメラ部３０２では、撮影時に、オートフォーカス、オートエクスポージャ、オートホワイトバランス、電子ズーム、撮影（シャッター）等の撮影に必要な制御が行われる。
【０１７８】
表示部３０３は、バックライト（図示略）を備え、長方形状の液晶表示器であり、撮影装置３０１を操作するための表示や、撮影装置３０１で撮影された画像等の表示に使用される。タッチパネル３０４は、表示部３０３と略同じ長方形状を成し、表示部３０３のバックライト（図示略）が設けられた側と反対側の表示面側に重ねて配置される。タッチパネル３０４は、人の指等が触れた位置の座標情報を出力する。タッチパネル３０４から出力される座標情報はＣＰＵ３０６に取り込まれる。本撮影装置３０１では、タッチパネル３０４の大きさ（即ち面積）を表示部３０３の面積の９０％以上１００％以下としている。なお、表示部３０３の大きさをタッチパネル３０４より小さくしても構わない。例えば、タッチパネル３０４の面積の９０％以上１００％以下としても良い。通信部３０５は、無線を用いてネットワーク４００上のマーケットサイト４１０と通信を行う。
【０１７９】
ＣＰＵ３０６は、図示せぬＲＯＭ（Read Only Memory）及びＲＡＭ（Random Access Memory）等を有している。該ＲＯＭにはＣＰＵ３０６を制御するためのプログラムが記憶されている。該ＲＡＭはＣＰＵ３０６の動作において使用される所謂ワークメモリである。ＣＰＵ３０６は、本撮影装置３０１の起動直後（即ち、電源をオンした直後）、表示部３０３にホーム画面を表示する。
【０１８０】
図２６は、第１のモードにおけるタッチパネル３０４に設定された５つの感応領域を示す図である。同図において、５つの感応領域は、タッチパネル３０４の周縁部に沿って設定される４つの感応領域３１０〜３１３と、４つの感応領域３１０〜３１３で囲まれる感応領域３１４とからなる。４つの感応領域３１０〜３１３は、それぞれ所定の幅を有する台形状を成し、特に、タッチパネル３０４が長方形状に形成されていることから、タッチパネル３０４の長辺側の２つの感応領域３１１，３１３が短辺側の２つの感応領域３１０，３１２より長くなっている。
【０１８１】
ＣＰＵ３０６は、５つの感応領域３１０〜３１４のそれぞれにおいて人の指のタッチを検出し、その後の指の動きに応じて５つの感応領域３１０〜３１４それぞれに対応して設定されたアプリ（プログラム）を実行する。ここで、タッチパネル３０４の周縁部に設定した４つの感応領域３１０〜３１３のうち、感応領域３１０を“アプリ（１）選択ボタン３１０Ｓ”、感応領域３１１を“アプリ（２）選択ボタン３１１Ｓ”、感応領域３１２を“アプリ（３）選択ボタン３１２Ｓ”、感応領域３１３を“アプリ（４）選択ボタン３１３Ｓ”と呼ぶ。アプリ（１）選択ボタン３１０Ｓ〜アプリ（４）選択ボタン３１３Ｓは、ダウンロードしたアプリ（プログラム）を起動するためのボタンである。また、４つの感応領域３１０〜３１３で囲まれた感応領域３１４をプリインアプリでの“メニュー３１４Ｓ”と呼ぶ。
【０１８２】
ＣＰＵ３０６は複数のモードで動作し、特に、第１，第２のモードは撮影モードとして動作し、第３のモードはアプリ選択モードとして動作する。本撮影装置３０１に電源が投入され、ユーザが第１のモードとして動作するプリインのアプリを指定すると、ＣＰＵ３０６は、第１のモードを実行する。同モードでタッチパネル３０４のプリインアプリでのメニュー３１４Ｓがタッチされたことを検出すると、第１のモードに対応する表示を行う。第１のモードに対応する表示は、図形、アイコン又は文言である。プリインアプリは、本撮影装置３０１に最初からインストールされているアプリであって、例えば“カメラアプリ”である。プリインアプリが起動することで、ユーザは当該アプリを楽しむことができる。
【０１８３】
また、ＣＰＵ３０６は、第１のモードで動作しているときに、タッチパネル３０４のアプリ（１）選択ボタン３１０Ｓ〜アプリ（４）選択ボタン３１３Ｓのいずれか１つがタッチされたことを検出すると、第２のモードに対応する表示を行う。第２のモードに対応する表示は、図形、アイコン又は文言である。当該表示を行うことで、上記同様に操作ミスの低減が図れる。ここで、アプリ（１）選択ボタン３１０Ｓがタッチされたとする。ＣＰＵ３０６は、当該ボタンが所定の時間（例えば、１〜２秒）を超えてタッチされたことを検出し、さらに当該ボタンから離れる方向（感応領域３１０の長辺から離れる第１の方向）のフリック操作（第１フリック操作）を検出すると、第１のモードから第２のモードに切替えて、アプリ（１）選択ボタン３１０Ｓに設定されているアプリを起動する。
【０１８４】
アプリ（１）選択ボタン３１０Ｓに設定されているアプリが起動することで、ユーザは当該アプリを楽しむことができる。当該アプリが例えば“カメラのアプリ”であれば、ユーザはプリインのカメラアプリとは異なるカメラ機能を楽しむことができる。但し、ダウンロードしたアプリを楽しむ場合、予めネットワーク４００上のマーケットサイト４１０からアプリをダウンロードしておく必要がある。本撮影装置３０１では、４つのアプリ（１）選択ボタン３１０Ｓ〜アプリ（４）選択ボタン３１３Ｓに対して、ダウンロードした４つのアプリを設定することができるようになっている。
【０１８５】
図２７（ａ）〜（ｅ）は、本撮影装置３０１のアプリ起動操作を示す図である。同図において、４つのアプリ（１）選択ボタン３１０Ｓ〜アプリ（４）選択ボタン３１３Ｓの全てにアプリが設定されているものとする。アプリ（２）選択ボタン３１１Ｓに設定されたアプリを起動させる場合、図２７の（ｂ）に示すように、アプリ（２）選択ボタン３１１Ｓを所定の時間（例えば、１〜２秒）を超えてタッチした後、タッチパネル３０４の中心に向けてフリック操作する。これにより、アプリ（２）選択ボタン３１１Ｓに設定されたアプリが起動する。また、アプリ（３）選択ボタン３１２Ｓに設定されたアプリを起動させる場合、図２７の（ｃ）に示すように、アプリ（３）選択ボタン３１２Ｓを所定の時間（例えば、１〜２秒）を超えてタッチした後、タッチパネル３０４の中心に向けてフリック操作する。これにより、アプリ（３）選択ボタン３１２Ｓに設定されたアプリが起動する。
【０１８６】
また、アプリ（１）選択ボタン３１０Ｓに設定されたアプリを起動させる場合、図２７の（ｄ）に示すように、アプリ（１）選択ボタン３１０Ｓを所定の時間（例えば、１〜２秒）を超えてタッチした後、タッチパネル３０４の中心に向けてフリック操作する。これにより、アプリ（１）選択ボタン３１０Ｓに設定されたアプリが起動する。また、アプリ（４）選択ボタン３１３Ｓに設定されたアプリを起動させる場合、図２７の（ｅ）に示すように、アプリ（４）選択ボタン３１３Ｓを所定の時間（例えば、１〜２秒）を超えてタッチした後、タッチパネル３０４の中心に向けてフリック操作する。これにより、アプリ（４）選択ボタン３１３Ｓに設定されたアプリが起動する。
【０１８７】
図２８は、本撮影装置３０１の使用の具体例を示す図である。同図において、第１のモードとして動作するプリインアプリ上にて、カメラアプリＡがアプリ（１）選択ボタン３１０Ｓに、カメラアプリＢがアプリ（２）選択ボタン３１１Ｓに、ビューアアプリがアプリ（３）選択ボタン３１２Ｓに、加工・編集アプリがアプリ（４）選択ボタン３１３Ｓにそれぞれ設定されているものとする。プリインカメラアプリは、第１のモードで動作するアプリであり、カメラアプリＡ，Ｂとビューアアプリ及び加工・編集アプリは、第２のモードで動作するアプリである。特に、ビューアアプリは、第１の撮影モードで撮影した画像について表示するモードである。加工・編集アプリは、第１の撮影モードで撮影した画像について加工・編集するモードである。
【０１８８】
プリインアプリからダウンロードされたアプリへの切替えはフリック操作によって行われる。例えば、プリインアプリを選択してそれが起動している状態で、ダウンロードしたアプリを選択するフリック操作を検出すると、ダウンロードしたアプリが起動する。この処理過程を図２９のフローチャートに示す。また、ダウンロードしたアプリからプリインアプリへの切替えもフリック操作（第２フリック操作）で可能である。このダウンロードしたアプリからプリインアプリへ切替えるフリック操作の方向（第２の方向）は、プリインアプリからダウンロードしたアプリへ切替えるフリック操作と反対方向であれば良い。この場合、厳密に１８０度違う必要は無く、１７０度〜１９０度、或いは１６０度〜２００度違えば良い。
【０１８９】
ＣＰＵ３０６は、ダウンロードしたアプリが設定されている場合、ユーザ操作に応じて第１のモードから第２のモードに切替えるが、一方、ユーザが選択したアプリ（Ｘ）選択ボタン（Ｘ＝１，２，３又は４）３１０Ｓ，３１１Ｓ，３１２Ｓ又は３１３Ｓに対してダウンロードしたアプリが設定されていなかった場合、第３のモードであるアプリ選択モードを実行する。ＣＰＵ３０６は、アプリ選択モードを実行すると、まずアプリの設定を促す表示を行う。図３０は、アプリの設定を促す表示の一例を示す図である。同図において、例えばアプリ（１）選択ボタン３１０Ｓにアプリを設定していない状態で、アプリ（１）選択ボタン３１０Ｓに対する操作を行うと、ＣＰＵ３０６は、表示部３０３に「アプリを設定してください。」という文字メッセージを表示するとともに、当該表示の下方に「インストール済みを設定する。」という文字メッセージのボタン３１７と、「ダウンロードして設定する。」という文字メッセージのボタン３１８をそれぞれ表示する。この表示を見たユーザは、アプリをダウンロード済みであればボタン３１７をタッチし、ダウンロード済みでなければボタン３１８をタッチする。
【０１９０】
ＣＰＵ３０６は、ボタン３１７がタッチされたことを検出すると、インストール済みのアプリをアプリ（１）選択ボタン３１０Ｓに設定する。これに対し、ボタン３１８がタッチされたことを検出すると、通信部３０５を使用してネットワーク４００に接続し、該当アプリを有しているマーケットサイト４１０にアクセスして当該アプリをダウンロードする。そして、ダウンロードしたアプリをアプリ（１）選択ボタン３１０Ｓに設定する。このように、アプリの設定がされていないアプリ（Ｘ）選択ボタン（Ｘ＝１，２，３又は４）３１０Ｓ，３１１Ｓ，３１２Ｓ又は３１３Ｓをユーザが選択した場合、アプリの設定を促す表示を行うので、アプリの設定を確実なものとすることができる。即ち、ユーザはこの表示を見ることで、忘れることなくアプリの設定を行うことになるので、アプリの設定を確実なものとすることができる。
【０１９１】
なお、アプリの設定を促す機能として表示を行う以外に、ブザーを鳴動させたり、音声メッセージを出力させたりすることも可能である。但し、ブザーを鳴動させるにはブザーと、ブザーの駆動回路を追加する必要があり、音声メッセージを出力させるにはスピーカと、音声出力回路を追加する必要がある。他にアプリの設定を促す機能があれば、その機能を起動させればよい。
【０１９２】
図２５に戻り、ＣＰＵ３０６は、ネットワーク４００上のマーケットサイト４１０にアクセスするユーザ操作があると、通信部３０５を介してネットワーク４００上のマーケットサイト４１０にアクセスし、マーケットサイト４１０が有しているアプリをダウンロードする。この場合、マーケットサイト４１０からダウンロードするアプリには、例えば上述したカメラアプリＡ、カメラアプリＢ、ビューアアプリ、加工・編集アプリがある。ＣＰＵ３０６は、ダウンロードしたアプリをフラッシュメモリ等の記憶媒体に保存しておく（即ちインストールしておく）。ＣＰＵ３０６は、ネットワーク４００を利用したデータのやりとりに必要なプロトコルとして、例えばＴＣＰ／ＩＰ（Transmission Control Protocol/Internet Protocol）及びＨＴＴＰ（Hyper Text Transfer Protocol）を用いる。ＣＰＵ３０６は、ＴＣＰ／ＩＰを使用して通信路を開設し、ＨＴＴＰを使用してデータの送受信を行う。
【０１９３】
次に、本実施の形態に係る撮影装置３０１の動作を説明する。
図３１は、本実施の形態に係る撮影装置３０１のアプリ選択処理を説明するためのフローチャートである。同図において、第１のモードから第２のモードに切替える操作、例えば図３０に示すように、アプリ（１）選択ボタン３１０Ｓが所定の時間を超えてタッチされた後、タッチパネル３０４の中心に向けてフリック操作されると、ＣＰＵ３０６は、第１のモードから第２のモードへ切替える（ステップＳ３０１）。次いで、ユーザが選択したアプリ（１）選択ボタン３１０Ｓに対してアプリが設定されているかどうか判定する（ステップＳ３０２）。アプリ（１）選択ボタン３１０Ｓにアプリが設定されていると判定した場合（即ち、ステップＳ３０２で「Ｙｅｓ」と判定した場合）、当該アプリ（１）を起動する（ステップＳ３０３）。
【０１９４】
一方、アプリ（１）選択ボタン３１０Ｓに対してアプリが設定されていないと判定した場合（即ち、ステップＳ３０２で「Ｎｏ」と判定した場合）、アプリ選択モードを実行する（ステップＳ３０４）。即ち、ＣＰＵ３０６は、表示部３０３に「アプリを設定してください。」という文字メッセージを表示するとともに、当該表示の下方に「インストール済みを設定する。」という文字メッセージのボタン３１７と、「ダウンロードして設定する。」という文字メッセージのボタン３１８をそれぞれ表示する。この表示を見たユーザは、アプリをダウンロード済みであればボタン３１７をタッチし、ダウンロード済みでなければボタン３１８をタッチする。
【０１９５】
ユーザが「インストール済みを設定する。」という文字メッセージのボタン３１７をタッチした場合、ＣＰＵ３０６は、保存しているアプリの一覧を表示部３０３に表示する（ステップＳ３０５）。そして、ユーザがそのアプリ一覧を見て所望のアプリを指定すると、フラッシュメモリ等の記憶媒体に保存しているアプリを読み出して、アプリ（１）選択ボタン３１０Ｓに設定する（ステップＳ３０６）。この処理を終えると、本処理を終了する。
【０１９６】
一方、ユーザが「ダウンロードして設定する。」という文字メッセージのボタン３１８をタッチした場合、ＣＰＵ３０６は、通信部３０５を使用してマーケットサイト４１０にアクセスし（ステップＳ３０７）、当該アプリをダウンロードとインストールする（ステップＳ３０８）。次いで、インストールしたアプリをアプリ（１）選択ボタン３１０Ｓに設定する（ステップＳ３０９）。この処理を終えると、本処理を終了する。
【０１９７】
このように本実施の形態に係る撮影装置３０１によれば、カメラ部３０２と、カメラ部３０２で撮影した画像を表示する表示部３０３と、表示部３０３に重ねて配置されたタッチパネル３０４と、装置各部を制御するＣＰＵ３０６と、を備え、ＣＰＵ３０６は、少なくとも第１のモードと第２のモードで動作し、ユーザ操作による第１の方向の第１フリック操作を検出することで、第１のモードから第２のモードに切替え、第２のモードで、ユーザが選択したアプリを起動するようにしたので、フリック操作という簡単な操作でアプリの切替えができ、利便性の向上が図れる。
【０１９８】
また、本実施の形態に係る撮影装置３０１によれば、インストール済みであるが、起動可能に設定されていないアプリがユーザによって選択された場合は、当該アプリを起動可能に設定し、さらに、インストール済みでないアプリについては、通信部３０５を使用してマーケットサイト４１０からダウンロードしてそれを起動可能に設定するので、操作性の向上が図れる。
【０１９９】
なお、本実施の形態では、図３１のフローチャートで示す処理を記述したプログラムをＣＰＵ３０６に持たせたが、当該プログラムを、磁気ディスク、光ディスク、光磁気ディスク、半導体メモリ等の記憶媒体に格納して配布したり、インターネット等のネットワーク上のサーバ（図示略）に保存するようにして、電気通信回線を利用してダウンロードできるようにしたりすることも可能である。
【０２００】
本発明を詳細にまた特定の実施態様を参照して説明したが、本発明の精神と範囲を逸脱することなく様々な変更や修正を加えることができることは当業者にとって明らかである。
【０２０１】
本出願は、２０１１年１０月７日出願の日本特許出願（特願２０１１−２２３１７５）、２０１１年１０月１７日出願の日本特許出願（特願２０１１−２２８０３２）、２０１１年１２月１４日出願の日本特許出願（特願２０１１−２７３５２２）、及び２０１２年１月３１日出願の日本特許出願（特願２０１２−０１８８１３）に基づくものであり、その内容はここに参照として取り込まれる。
【産業上の利用可能性】
【０２０２】
本発明は、晴天下の野外などの周囲が明るい環境で撮影を行う場合でも表示部の画面を容易にかつ確実に確認することができるといった効果や、表示部の大型化に伴う筐体の狭額縁化が進んでも、筐体の端を触れることで起こる誤動作を防止することができるといった効果や、フリック操作という簡単な操作でアプリケーションの切替えができるといった効果を有し、カメラが搭載された携帯電話などの携帯端末への適用が可能である。
【符号の説明】
【０２０３】
１，１Ｃ，２０，７０  撮影装置
１Ａ  第１面
１Ｂ  第２面
２  カメラ部
３  表示部
４  タッチパネル
５  鉛直センサ
６  ＣＰＵ
７  フラッシュライト部
８  記憶部
９  操作判定部
１０  アイコン
１１  合成部
２１  通信部
２２  記憶部
３１  バックライト
４０  インターネット
５０  サーバ
６０  表示装置
８０  メニューボタン
８１  上下方向ボタン
８２  ＬＣＤ輝度ボタン
８３  左右方向ボタン
８４  露出変更ボタン
１０１  撮影装置
１０２  カメラ部
１０２Ａ，１０２Ｂ  カメラ
１０３  表示部
１０４  タッチパネル
１０５  ＣＰＵ
１１０  筐体
１１０Ａ  第１の面
１１０Ｂ  第２の面
１１０Ｃ  角
１１０Ｄ  縁部
１１５，１１５Ａ，１１５Ｂ，１１６  不感領域
１２０  アイコン
１３１  バックライト
３０１  撮影装置
３０２  カメラ部
３０３  表示部
３０４  タッチパネル
３０５  通信部
３０６  ＣＰＵ
３１０〜３１４  感応領域
３１０Ｓ  アプリ（１）選択ボタン
３１１Ｓ  アプリ（２）選択ボタン
３１２Ｓ  アプリ（３）選択ボタン
３１３Ｓ  アプリ（４）選択ボタン
３１４Ｓ  メニュー
３１７，３１８  ボタン
４００  ネットワーク
４１０  マーケットサイト
【図１】
0005451944.tif 000002
【図２】
0005451944.tif 000003
【図３】
0005451944.tif 000004
【図４】
0005451944.tif 000005
【図５】
0005451944.tif 000006
【図６】
0005451944.tif 000007
【図７】
0005451944.tif 000008
【図８】
0005451944.tif 000009
【図９】
0005451944.tif 000010
【図１０】
0005451944.tif 000011
【図１１】
0005451944.tif 000012
【図１２】
0005451944.tif 000013
【図１３】
0005451944.tif 000014
【図１４】
0005451944.tif 000015
【図１５】
0005451944.tif 000016
【図１６】
0005451944.tif 000017
【図１７】
0005451944.tif 000018
【図１８】
0005451944.tif 000019
【図１９】
0005451944.tif 000020
【図２０】
0005451944.tif 000021
【図２１】
0005451944.tif 000022
【図２２】
0005451944.tif 000023
【図２３】
0005451944.tif 000024
【図２４】
0005451944.tif 000025
【図２５】
0005451944.tif 000026
【図２６】
0005451944.tif 000027
【図２７】
0005451944.tif 000028
【図２８】
0005451944.tif 000029
【図２９】
0005451944.tif 000030
【図３０】
0005451944.tif 000031
【図３１】
0005451944.tif 000032
【図３２】
0005451944.tif 000033
【図３３】
0005451944.tif 000034